(57)【要約】【課題】プリフォームから切り離されたゲート屑を確実に排出することができるプリフォームのゲートカット装置を提供する。【解決手段】複数のプリフォームＡを回転搬送しつつゲート切断手段１５によってプリフォームＡのゲートＢを切除する。切除されたゲート屑Ｂ´を排出するゲート屑排出手段２０を設ける。ゲート屑排出手段２０は、ゲート切断手段１５と共に回転する可動部２１に設けられた第１導出路２６と、可動部２１に摺接される固定部２３に設けられた第２導出路２８と、ゲート屑Ｂ´を第１導出路２６及び第２導出路２８を介して強制的に吸引排出する吸引手段とを備える。【選択図】図２
2004268523.tif 000002
【特許請求の範囲】
【請求項１】
プリフォームを連続して投入するプリフォーム投入手段と、該投入手段により投入された複数のプリフォームを所定間隔を存して周縁部に保持して回転搬送するプリフォーム搬送手段と、該プリフォーム搬送手段に設けられ、該プリフォーム搬送手段によって搬送される各プリフォームに対向して該プリフォームの先端に形成されたゲートを切刃により切断する複数のゲート切断手段と、該ゲート切断手段によってプリフォームから切り取られたゲート屑を排出するゲート屑排出手段と、前記ゲート切断手段によってゲートが取除かれたプリフォームを前記プリフォーム搬送手段から払い出すプリフォーム払出手段とを備えるプリフォームのゲートカット装置において、
前記ゲート屑排出手段は、各ゲート切断手段の切刃の直下位置からゲート屑を吸引して各ゲート切断手段の下方に導出する第１導出路を備えて前記プリフォーム搬送手段と同期して同軸に回転する可動部と、該可動部の下方に開口する各第１導出路の終端の周回軌跡に沿って上部が開放された環状の溝状に形成されて前記可動部に摺接され、各第１導出路の終端開口に同時に連通する第２導出路が形成された固定部と、該固定部の第２導出路の一部に接続されて該第２導出路を介してゲート屑を強制的に吸引排出する吸引手段とを備えることを特徴とするプリフォームのゲートカット装置。
【請求項２】
前記第２導出路は、前記吸引手段の接続側からその反対側にかけて次第に断面積が減少する形状に形成されていることを特徴とする請求項１記載のプリフォームのゲートカット装置。
【発明の詳細な説明】
【０００１】
【発明の属する技術分野】
本発明は、二軸延伸ブロー成形ボトル用のプリフォームに形成されたゲートを切断するプリフォームのゲートカット装置に関する。
【０００２】
【従来の技術】
従来、複数のプリフォームを連続搬送しつつ各プリフォームの先端に形成されているゲートを切断するゲートカット装置が知られている（例えば、特許文献１参照）。この種のゲートカット装置は、複数のプリフォームを所定間隔を存して円周状に保持し、各プリフォームの先端に対向して設けられた複数の切断手段によってゲートを切断する。各切断手段は、それぞれゲートを切断する切刃を備え、各プリフォームの搬送方向に同期して回転しつつ切刃を作動させてゲートを切断するようになっている。
【０００３】
ところで、この種のゲートカット装置においては、各切断手段によってプリフォームから切り離されたゲート屑は自重で落下するため、落下したゲート屑を排出方向に案内するシュート等が設けられている。
【０００４】
しかし、ゲート屑を自重で落下させる構成では、プリフォームから切り離されたゲート屑が切刃に付着したまま落下しない場合があり、ゲート屑が付着した状態の切刃によって他のゲートを切断したときには切刃の切断精度が低下するおそれがある。また、切刃に付着するゲート屑は、切刃の切断作動やプリフォームの搬送時に伴う振動等により不用意に飛散して、装置内部に侵入する場合があり、装置の作動が阻害することを防止するために装置の清掃を頻繁に行なう必要が生じる不都合がある。
【０００５】
【特許文献１】
特開２０００−２８９０９６号公報
【０００６】
【発明が解決しようとする課題】
かかる不都合を解消して、本発明は、プリフォームから切り離されたゲート屑を確実に排出することができるプリフォームのゲートカット装置を提供することを目的とする。
【０００７】
【課題を解決するための手段】
かかる目的を達成するために、本発明は、プリフォームを連続して投入するプリフォーム投入手段と、該投入手段により投入された複数のプリフォームを所定間隔を存して周縁部に保持して回転搬送するプリフォーム搬送手段と、該プリフォーム搬送手段に設けられ、該プリフォーム搬送手段によって搬送される各プリフォームに対向して該プリフォームの先端に形成されたゲートを切刃により切断する複数のゲート切断手段と、該ゲート切断手段によってプリフォームから切り取られたゲート屑を排出するゲート屑排出手段と、前記ゲート切断手段によってゲートが取除かれたプリフォームを前記プリフォーム搬送手段から払い出すプリフォーム払出手段とを備えるプリフォームのゲートカット装置において、前記ゲート屑排出手段は、各ゲート切断手段の切刃の直下位置からゲート屑を吸引して各ゲート切断手段の下方に導出する第１導出路を備えて前記プリフォーム搬送手段と同期して同軸に回転する可動部と、該可動部の下方に開口する各第１導出路の終端の周回軌跡に沿って上部が開放された環状の溝状に形成されて前記可動部に摺接され、各第１導出路の終端開口に同時に連通する第２導出路が形成された固定部と、該固定部の第２導出路の一部に接続されて該第２導出路を介してゲート屑を強制的に吸引排出する吸引手段とを備えることを特徴とする。
【０００８】
本発明によれば、前記プリフォーム投入手段により投入されたプリフォームがプリフォーム搬送手段によって回転搬送される。該プリフォーム搬送手段により搬送される各プリフォームは、それぞれ前記ゲート切断手段によりゲートが切断される。その後、ゲートが取除かれたプリフォームは、前記プリフォーム払出手段によりプリフォーム搬送手段から払い出される。
【０００９】
ここで、切断されたゲート屑は前記ゲート屑排出手段により排出される。即ち、切断されたゲート屑は、前記第１導出路から強制的に吸引され、第２導出路を経て吸引手段により排出される。このとき、第１導出路は前記可動部に設けられてプリフォーム搬送手段と同期して同軸に回転するが、前記固定部の第２導出路が各第１導出路の終端開口に同時に連通しているので、回転移動する何れのゲート切断手段によりゲートが切断されても、ゲート屑を第１導出路を経て確実に第２導出路に吸引することができる。また、ゲート切断手段の移動中に常に第１導出路から強制的に吸引しているので、切断直後にゲート屑が吸引されなくても、移動中に確実に吸引される。これにより、ゲート屑はゲート切断手段の切刃に付着して残留することがなく、不用意に機内に飛散することを確実に防止することができる。
【００１０】
また、本発明において、前記第２導出路は、前記吸引手段の接続側からその反対側にかけて次第に断面積が減少する形状に形成されていることを特徴とする。
【００１１】
前記第２導出路は前述したように溝状に形成されている。このとき、第２導出路が全周にわたって同じ断面積を有する形状であると、前記吸引手段の接続側に対してその反対側の吸引力が小となり、第１導出路の途中まで吸引されたゲート屑が、第１導出路が吸引手段の接続側の反対側に位置したとき第１導出路内に停滞するおそれがある。そこで、本発明においては、第２導出路を前記吸引手段の接続側からその反対側にかけて次第に断面積が減少する形状に形成したことにより、複数の第１導出路に付与する吸引力を略均等に付与することができ、回転移動中に何れの位置に第１導出路があっても第１導出路内を移動するゲート屑を十分な吸引力により吸引して確実に排出することができる。
【００１２】
【発明の実施の形態】
本発明の一実施形態を図面に基づいて説明する。図１は本実施形態のゲートカット装置の概略構成を平面視して示す説明図、図２は要部の説明的断面図、図３は可動部及び固定部を側面視して示す説明図である。
【００１３】
本実施形態のゲートカット装置１は、射出成形により形成されたプリフォームＡのゲートＢ（図２において仮想線示する）を切除するものである。プリフォームＡは、図示しないが、ブロー成形を施すことにより合成樹脂製ボトルを形成するものである。
【００１４】
本実施形態のゲートカット装置１は、図１に示すように、プリフォームＡを投入するプリフォーム投入手段２と、プリフォーム投入手段２によって投入されたプリフォームＡを搬送するプリフォーム搬送手段３と、プリフォーム搬送手段３からプリフォームＡを払い出すプリフォーム払出手段４とを備えている。
【００１５】
プリフォーム投入手段２は、プリフォームＡを連続して供給する投入路５と、該投入路５の終端でプリフォームＡを受け取って回転する投入ターレット６とを備えている。
【００１６】
プリフォーム搬送手段３は、図示しない駆動モータによって回転駆動される回転軸７に支持された搬送ターレット８と、該搬送ターレット８と同軸に回転するターンテーブル９と、搬送ターレット８によって搬送されるプリフォームＡの移動並びに昇降を案内するガイドプレート１０とを備えている。
【００１７】
搬送ターレット８は、図１及び図２に示すように、プリフォームＡの胴部Ｃを保持する円弧状に切欠形成された複数の保持部１１を備えている。ガイドプレート１０は、プリフォームＡの鍔部Ｄを介して該プリフォームＡを吊持状態に支持しつつ該プリフォームＡを搬送方向に沿って案内する。更に、ガイドプレート１０は、後述するが、ゲートＢの切断位置においてプリフォームＡを下降方向に案内する下降案内レール１２と、プリフォーム払出手段４に向かってプリフォームＡを上昇方向に案内する上昇案内レール１３とを備えている。
【００１８】
プリフォーム払出手段４は、上昇案内レール１３の終端からプリフォームＡを受け取って払出方向に案内する払出路１４を備えている。
【００１９】
前記ターンテーブル９は、前記搬送ターレット８の各保持部１１に対応する位置にゲート切断手段１５を備えている。ゲート切断手段１５は、図２に示すように、プリフォームＡのゲートＢを切断する固定切刃１６と可動切刃１７とを備えている。可動切刃１７は、固定切刃１６に向かって進退自在に設けられ、図示しないバネによって固定切刃１６から離反する方向に付勢されている。可動切刃１７の後方にはカムロール１８が設けられ、一部を図示するカム１９により固定切刃１６に対する進退が駆動される。
【００２０】
また、図２に示すように、ターンテーブル９の下方にはゲート屑排出手段２０が設けられている。ゲート屑排出手段２０は、ターンテーブル９と同軸に回転する可動部２１と、該可動部２１に摺接して台座２２に固設された固定部２３とを備えている。可動部２１には、継手２４及びチューブ２５を介して各ゲート切断手段１５の固定切刃１６の下方に開口するように延設された中空の第１導出路２６が設けられている。該第１導出路２６は、継手２４の下方において開口する終端開口部２７を備えている。固定部２３は、各第１導出路２６の終端開口部２７の円周軌道に沿って環状に形成された溝状の第２導出路２８を備えている。該第２導出路２８の一部には、チューブ２９を介して図示しない吸引手段が接続されている。なお、固定部２３の第２導出路２８に沿った両側には、環状の凹部３０を介してリング状のシール部材３１が設けられている。シール部材３１は、可動部２１の底面に気密に摺接される。第２導出路２８によって各第１導出路２６は連通状態とされており、しかも、可動部２１がターンテーブル９と共に回転しても各第１導出路２６と第２導出路２８との連通状態が維持される。
【００２１】
また、第２導出路２８は、図３に示すように、前記吸引手段の接続側２８ａからその反対側２８ｂにかけて低部の深さが次第に浅くなるように傾斜して形成されている。これにより、前記吸引手段の接続側２８ａよりその反対側２８ｂの断面積が小とされ、吸引手段の接続側２８ａからその反対側２８ｂにかけて第１導出路２６が何れの位置にあるときにも、各第１導出路２６に十分な吸引力を略均等に付与することができる。
【００２２】
次に、本実施形態のゲートカット装置１の作動を説明する。図１を参照して、先ず、プリフォーム投入手段２の投入路５に沿って連続供給されるプリフォームＡは、投入ターレット６に支持されて搬送された後、プリフォーム搬送手段３のガイドプレート１０に支持され、搬送ターレット８によって搬送方向に移動される。ガイドプレート１０に支持されたプリフォームＡは、下降案内レール１２によって下降される。次いで、下降されたプリフォームＡは、図２に示すように、ゲート切断手段１５の固定切刃１６と可動切刃１７との間にゲートＢが位置され、可動切刃１７の前進によりゲートＢ（Ｂ´）が切り落とされる。プリフォームＡから切り落とされたゲート屑Ｂ´は、第１導出路２６に強制的に吸引され、排出される。即ち、第１導出路２６に吸引されたゲート屑Ｂ´は、第２導出路２８を経て吸引手段の吸引力により排出方向に搬送される。第２導出路２８が前記吸引手段の接続側２８ａからその反対側２８ｂにかけて次第に断面積が小となる形状に形成されているので、各第１導出路２６からは常に略均等な吸引力が付与されている。これによって、ゲート屑Ｂ´は第１導出路２６が移動中に常に十分な吸引力によって吸引されている状態となるので、例えば、第１導出路２６の何れかの位置において停滞することなく、第２導出路２８に向かって吸引される。
【００２３】
そして、図１に示すように、ゲートＢが切除されたプリフォームＡは、上昇案内レール１３によって上昇され、プリフォーム払出手段４の払出路１４に向かって払い出される。
【図面の簡単な説明】
【図１】本発明の一実施形態のゲートカット装置の概略構成を平面視して示す説明図。
【図２】要部の説明的縦断面図。
【図３】固定部を側面視して示す説明図。
【符号の説明】
Ａ…プリフォーム、Ｂ…ゲート、Ｂ´…ゲート屑、１…ゲートカット装置、２…プリフォーム投入手段、３…プリフォーム搬送手段、４…プリフォーム払出手段、１５…ゲート切断手段、１６，１７…切刃、２０…ゲート屑排出手段、２１…可動部、２３…固定部、２６…第１導出路、２８…第２導出路。
【図１】
2004268523.tif 000003
【図２】
2004268523.tif 000004
【図３】
2004268523.tif 000005